(57)【要約】      （修正有）【課題】タッチペンの使用時、収納時それぞれにおける利用者の利便化を図るための電子機器用タッチペンを提供する。【解決手段】電子機器用タッチペンの長手方向の軸部分を、タッチパネルの位置検出用センサとの協働部分を持つ前軸筒と、これとの間で相対的にスライド可能な後軸筒とで構成し、また、挟持用クリップを取外し可能な形で後軸部に取り付ける形とした。【選択図】図３
0003177874.tif 000002
【実用新案登録請求の範囲】
【請求項１】
電子機器のタッチパネルへのポインティングデバイスとして用いられる電子機器用タッチペンにおいて、
前記タッチパネルに設けられた位置検出センサと協働するセンサ協働部と、
前記センサ協働部が前端側に取り付けられた前軸筒と、
前記前軸筒の後端側に取り付けられて当該前軸筒と同じ長手方向に延びる後軸筒と、を少なくとも備え、
前記後軸筒および前記前軸筒は、
前記長手方向への相対的なスライド動作が可能な形で設けられている、
ことを特徴とする電子機器用タッチペン。
【請求項２】
前記後軸筒の後端部分に取外し可能な形で取り付けられたクリップを備え、
前記クリップは、
その後端部分に被保持部を有している、
ことを特徴とする請求項１記載の電子機器用タッチペン。
【請求項３】
前記後軸筒の後端側内部に取り付けられたクリップ保持用継手と、
前記クリップ保持用継手との間で前記被保持部を挟み込む作用を呈するクリップ保持部と、を備え、
前記クリップ保持部は、
前記クリップ保持用継手に取り外し可能な形で固定されている、
ことを特徴とする請求項２記載の電子機器用タッチペン。
【請求項４】
前記前軸筒の後端側および前記後軸筒の前端側の一方に取り付けられて、当該前軸筒および当該後軸筒の全体が延びる方向への前記相対的なスライド動作の際に当該後端側および当該前端側の他方とあたることにより、それ以上の当該スライド動作を阻止するための軸継手と、
前記後端側および前記前端側の他方に取り付けられて、前記一方の側の前記前軸筒または前記後軸筒の周面に当接しながら前記長手方向に移動し、かつ、前記軸継手とあたって前記スライド動作を阻止するためのスライダーと、を備えている、
ことを特徴とする請求項１記載の電子機器用タッチペン。
【請求項５】
前記前軸筒の後端側および前記後軸筒の前端側の一方に取り付けられて、当該前軸筒および当該後軸筒の全体が延びる方向への前記相対的なスライド動作の際に当該後端側および当該前端側の他方とあたることにより、それ以上の当該スライド動作を阻止するための軸継手と、
前記後端側および前記前端側の他方に取り付けられて、前記一方の側の前記前軸筒または前記後軸筒の周面に当接しながら前記長手方向に移動し、かつ、前記軸継手とあたって前記スライド動作を阻止するためのスライダーと、を備えている、
ことを特徴とする請求項２記載の電子機器用タッチペン。
【請求項６】
前記前軸筒の後端側および前記後軸筒の前端側の一方に取り付けられて、当該前軸筒および当該後軸筒の全体が延びる方向への前記相対的なスライド動作の際に当該後端側および当該前端側の他方とあたることにより、それ以上の当該スライド動作を阻止するための軸継手と、
前記後端側および前記前端側の他方に取り付けられて、前記一方の側の前記前軸筒または前記後軸筒の周面に当接しながら前記長手方向に移動し、かつ、前記軸継手とあたって前記スライド動作を阻止するためのスライダーと、を備えている、
ことを特徴とする請求項３記載の電子機器用タッチペン。
【請求項７】
前記スライダーは、
筒状部からなり、
前記筒状部の内部に取り付けられて、前記スライダーを前記長手方向と直交する外側方向に付勢するための弾性部材を備えている、
ことを特徴とする請求項４記載の電子機器用タッチペン。
【請求項８】
前記スライダーは、
筒状部からなり、
前記筒状部の内部に取り付けられて、前記スライダーを前記長手方向と直交する外側方向に付勢するための弾性部材を備えている、
ことを特徴とする請求項５記載の電子機器用タッチペン。
【請求項９】
前記スライダーは、
筒状部からなり、
前記筒状部の内部に取り付けられて、前記スライダーを前記長手方向と直交する外側方向に付勢するための弾性部材を備えている、
ことを特徴とする請求項６記載の電子機器用タッチペン。
【請求項１０】
前記筒状部は、
前記弾性部材を取り付ける方の開口側に、当該弾性部材の作用による前記スライダーの前記外側方向への変位を生じやすくするための切欠状部が形成されている、
ことを特徴とする請求項７記載の電子機器用タッチペン。
【請求項１１】
前記筒状部は、
前記弾性部材を取り付ける方の開口側に、当該弾性部材の作用による前記スライダーの前記外側方向への変位を生じやすくするための切欠状部が形成されている、
ことを特徴とする請求項８記載の電子機器用タッチペン。
【請求項１２】
前記筒状部は、
前記弾性部材を取り付ける方の開口側に、当該弾性部材の作用による前記スライダーの前記外側方向への変位を生じやすくするための切欠状部が形成されている、
ことを特徴とする請求項９記載の電子機器用タッチペン。
【考案の詳細な説明】
【技術分野】
【０００１】
本考案は、携帯情報端末，携帯電話，コンピュータ周辺機器，タブレットなどの各種電子機器のタッチパネルへのポインティングデバイスとして用いられる電子機器用タッチペンに関する。
【０００２】
特に電子機器用タッチペンの長手方向のいわば軸部分を、タッチパネルに設けられた各種タイプの位置検出用センサと協働する先端部分を持つ前軸筒と、これとの間で相対的にスライド可能な後軸筒とで構成したものである。
【０００３】
また、ポケットなどに電子機器用タッチペンを挟むときに使用されるクリップを取外し可能な形で後軸部に取り付ける形になっている。
【０００４】
本考案の電子機器用タッチペンはこのような構成をとることにより、タッチペン全体の長手方向の選択的なコンパクト化を図り、タッチペンの使用時，収納時それぞれにおける利用者の利便性を高めている。
【０００５】
さらには、スライド動作時の前軸筒および後軸筒の間の当接状態を確実にするための弾性部材を設け、この当接状態の経時変化、すなわちスライド動作当接部分のいわゆる「へたり」現象化を防止している。
【０００６】
本明細書では、タッチパネルに設けられた位置検出用センサと協働するセンサ協働部の側を「先」，「前」と記し、電子機器用タッチペンのこれとは長手方向反対側を「後」と記す。
【背景技術】
【０００７】
従来の、タッチパネルへのポインティングデバイスとして用いられる電子機器用タッチペンは、通常のシャープペンシルやボールペンと同じようにその長さが一意であって収納時などに短くすることができない（特許文献１参照）。
【０００８】
また、その後端側にクリップが取り付けられた電子機器用タッチペンの場合、利用者が必要に応じてこのクリップ簡単に取り外すこともできない。
【先行技術文献】
【特許文献】
【０００９】
【特許文献１】実用新案登録第３１６９００５号公報
【考案の概要】
【考案が解決しようとする課題】
【００１０】
このように従来の電子機器用タッチペンは、その使用時や収納時に応じて全体の長さを変えることができず、また、電子機器用タッチペンに取り付けられたクリップを利用者が簡単に取り外すこともできず、利便性にかけるという問題点を有していた。
【００１１】
そこで本考案では、電子機器用タッチペンの長手方向の軸部分を、タッチパネルの位置検出用センサとの協働部分を持つ前軸筒と、これとの間で相対的にスライド可能な後軸筒とで構成し、また、挟持用クリップを取外し可能な形で後軸部に取り付ける形として、タッチペンの使用時，収納時それぞれにおける利用者の利便化を図ることを目的とする。
【００１２】
また、スライド動作時の前軸筒および後軸筒の間の当接状態を確実にするための弾性部材を設けて、スライド動作当接部分の「へたり」現象の発生抑止化を図ることを目的とする。
【課題を解決するための手段】
【００１３】
本考案は、以上の課題を次のようにして解決する。
（１）電子機器のタッチパネルへのポインティングデバイスとして用いられる電子機器用タッチペンにおいて、
前記タッチパネルに設けられた位置検出センサと協働するセンサ協働部（例えば後述のペンニブ１ａ）と、
前記センサ協働部が前端側に取り付けられた前軸筒（例えば後述の前軸筒２ａ）と、
前記前軸筒の後端側に取り付けられて当該前軸筒と同じ長手方向に延びる後軸筒（例えば後述の後軸筒３ａ）と、を少なくとも備え、
前記後軸筒および前記前軸筒は、
前記長手方向への相対的なスライド動作が可能な形で設けられている、
ものを用いる。
（２）上記（１）において、
前記後軸筒の後端部分に取外し可能な形で取り付けられたクリップ（例えば後述のクリップ４ａ）を備え、
前記クリップは、
その後端部分に被保持部（例えば後述のクリップ４ａの後端環状部）を有している、
ものを用いる。
（３）上記（２）において、
前記後軸筒の後端側内部に取り付けられたクリップ保持用継手（例えば後述の尾冠継手４ｂ）と、
前記クリップ保持用継手との間で前記被保持部を挟み込む作用を呈するクリップ保持部（例えば後述の尾冠４ｃ）と、を備え、
前記クリップ保持部は、
前記クリップ保持用継手に取り外し可能な形で固定されている、
ものを用いる。
（４）上記（１），（２），（３）において、
前記前軸筒の後端側および前記後軸筒の前端側の一方に取り付けられて、当該前軸筒および当該後軸筒の全体が延びる方向への前記相対的なスライド動作の際に当該後端側および当該前端側の他方とあたることにより、それ以上の当該スライド動作を阻止するための軸継手（例えば後述の筒状軸継手２ｂ）と、
前記後端側および前記前端側の他方に取り付けられて、前記一方の側の前記前軸筒または前記後軸筒の周面に当接しながら前記長手方向に移動し、かつ、前記軸継手とあたって前記スライド動作を阻止するためのスライダー（例えば後述のスライダー３ｂ）と、を備えている、
ものを用いる。
（５）上記（４）において、
前記スライダーは、
筒状部からなり、
前記筒状部の内部に取り付けられて、前記スライダーを前記長手方向と直交する外側方向に付勢するための弾性部材（例えば後述のコイルスプリング３ｈ，Ｃ形リングバネ３ｊ，Ｖ字状バネ３ｋ）を備えている、
ものを用いる。
（６）上記（５）において、
前記筒状部は、
前記弾性部材を取り付ける方の開口側に、当該弾性部材の作用による前記スライダーの前記外側方向への変位を生じやすくするための切欠状部（例えば後述の切欠状部３ｇ）が形成されている、
ものを用いる。
【００１４】
このような上記（１）〜（６）それぞれの構成からなる電子機器用タッチペンを本考案の対象としている。
【考案の効果】
【００１５】
本考案は以上の課題解決手段により、
(11)電子機器用タッチペンの使用時，収納時それぞれにおける利用者の利便化を図る、
(12)前軸筒および後軸筒の相対的なスライド動作当接部分の「へたり」現象の発生抑止化を図る、
ことなどができる。
【図面の簡単な説明】
【００１６】
【図１】電子機器用タッチペンの最短縮状態を示す説明図である。
【図２】図１の最短縮状態におけるテーパ軸継手１ｂとスライダー３ｂとの当接関係を示す一部拡大図である。
【図３】電子機器用タッチペンの最伸長状態を示す説明図である。
【図４】図３の最伸長状態における筒状軸継手２ｂとスライダー３ｂとの当接関係を示す一部拡大図である。
【図５】図１の電子機器用タッチペンからクリップ４ａ，尾冠４ｃおよびボルト４ｄを取り外した状態を示す説明図である。
【図６】図１の電子機器用タッチペンのクリップ４ａを取り外してから尾冠４ｃを再度固定した最短縮状態を示す説明図である。
【図７】スライダー３ｂのバリエーションを示す説明図であり、（ａ）は前軸筒内周面の方に付勢する弾性部材が取り付けられていない図１〜図６のスライダーを示し、（ｂ）はコイルスプリング使用のスライダーを示し、（ｃ）はＣ形リングバネ使用のスライダーを示し、（ｄ）はＶ字状バネ使用のスライダーを示している。
【考案を実施するための形態】
【００１７】
図１〜図７を用いて本考案を実施するための形態を説明する。
【００１８】
各図で用いるアルファベット付き参照番号の構成要素（例えばペンニブ１ａ）は原則として、当該参照番号の数字部分の構成要素（例えばセンサ協働部１）の一部であることを示している。
【００１９】
図１〜図７において、
１はタッチパネルに設けられた周知の静電容量変化検出方式の位置検出センサに作用するセンサ協働部，
１ａは導電性ゴムからなる釣鐘形状でセンサ協働部分として機能するペンニブ，
１ｂはペンニブ１ａが取り付けられる多段階塔筒状のテーパ軸継手，
１ｃはテーパ軸継手１ｂの後端部分に形成され、後述のスライダー３ｂの環状前端面３ｃと当接して電子機器用タッチペンの最短縮状態を設定する環状後端面，
１ｄはテーパ軸継手１ｂの後側外周面に圧入保持されて後述のグリップ２ｈの前端部分を保持するアルミ製のフロントリング，
１ｅはテーパ軸継手１ｂの外周面に圧入されてペンニブ１ａを保持するためのテーパ筒状部，
１ｆはペンニブ１ａを保護するためテーパ筒状部１ｅの外周面に着脱自在な形で取り付けられるアルミ製のキャップ，
をそれぞれ示している。
【００２０】
また、
２はセンサ協働部１と一体化された前軸作用部，
２ａはテーパ軸継手１ｂの後端側を圧入固定した真鍮製の前軸筒，
２ｂは前軸筒２ａの後端側に圧入固定された真鍮製の筒状軸継手，
２ｃは筒状軸継手２ｂの前端部分に形成され、後述のスライダー３ｂの環状段部３ｆと当接して電子機器用タッチペンの最伸長縮状態を設定する環状前端面，
２ｄは筒状軸継手２ｂの前側外周面であって、前軸筒２ａの後端側内周面に圧入固定された低外周面，
２ｅは筒状軸継手２ｂの後側外周面（低外周面２ｄの後側に続く部分）であって、後述のリアリング２ｊを圧入保持する高外周面，
２ｆは前側の低外周面２ｄと後側の高外周面２ｅとの境界部分であって、前軸筒２ａの後端面部分を受けて保持するための周方向の中間段部，
２ｇは高外周面２ｅの後端部分に中間段部２ｆよりも外方に飛び出る態様で形成されて後述のリアリングの後端面部分を受けて保持するための周方向の後端段部，
２ｈは前軸筒２ａの外周面に装着されたシリコンゴム製のグリップ，
２ｊは筒状軸継手２ｂの高外周面２ｅに圧入保持されてグリップ２ｈの後端部分を保持するアルミ製のリアリング，
をそれぞれ示している。
【００２１】
また、
３は前軸作用部２に取り付けられて、前軸筒２ａとの間の相対的な前後方向へのスライド動作をおこなう後軸作用部，
３ａは前軸筒２ａとの間のスライド動作にともなって電子機器用タッチペンの前後方向全体長の伸縮作用を呈するアルミ製の後軸筒，
３ｂは後軸筒３ａの前開口側の内周面に圧入保持されて、前軸筒２ａの内周面に当接しながら当該後軸筒とともに前後方向に相対移動する、筒状でポリアセタール樹脂製のスライダー，
３ｃはスライダー３ｂの前端部分に形成され、テーパ軸継手１ｂの環状後端面１ｃと当接して電子機器用タッチペンの最短縮状態を設定する環状前端面，
３ｄはスライダー３ｂの前端側外周面部分であって前軸筒２ａの内周面に摩擦状態で接触する大径外周面部，
３ｅは大径外周面部３ｄの後方に続く外周面部分であって後軸筒３ａの前開口側の内周面に圧入保持される小径外周面部，
３ｆは大径外周面部３ｄと小径外周面部３ｅとのいわば境界部分であって後軸筒３ａの前端部分を受けて保持し、かつ、筒状軸継手２ｂの環状前端面２ｃと当接して電子機器用タッチペンの最伸長縮状態を設定する、すなわちスライダー３ｂおよび後軸筒３ａのそれ以上の後方向への移動を阻止する環状段部，
３ｇはスライダー３ｂの前側周面部の対向部分に形成されたそれぞれ前後方向で計二個の切欠状部，
３ｈは前軸筒内周面の方にスライダー３ｂを付勢するためその前端側内周面に設定されたコイルスプリング（３ｈ〜３ｐは図７参照），
３ｊは前軸筒内周面の方にスライダー３ｂを付勢するためその前端側内周面に設定されたＣ形リングバネ，
３ｋは前軸筒内周面の方にスライダー３ｂを付勢するためその前端側内周面に設定されたＶ字状バネ，
３ｍはコイルスプリング３ｈの両端部分をそれぞれ保持するためスライダー３ｂの前端側内周面に形成された一対の凸状部，
３ｎはＣ形リングバネ３ｊの略全体を保持するためスライダー３ｂの前端側内周面に形成された環凹状部，
３ｐはＶ字状バネ３ｋの両端部分をそれぞれ保持するためスライダー３ｂの前端側内周面に形成されたてコイルスプリング３ｈを保持するための一対の凹状部，
をそれぞれ示している。
【００２２】
また、
４は後軸筒３ａの後端側に配設されたクリップ機構部，
４ａは取付け用の後端環状部を有して、後軸筒３ａから取り外すことが可能な形で取り付けられた鋼製のクリップ，
４ｂは後軸筒３ａの後端側内周面に圧入保持されて内周面にネジ部分を備えた筒状で真鍮製の尾冠継手，
４ｃは中央孔部を有して、クリップ４ａの後端環状部を尾冠継手４ｂの後端面部分との間に挟みこむ作用を呈するアルミ製の尾冠，
４ｄは尾冠４ｃの中央孔部から入り込む形で尾冠継手４ｂの内周面ネジ部分と螺合して、クリップ４ａの後端環状部を尾冠継手４ｂと尾冠４ｃとの間に、取外しできる態様により挟みこんで固定するための六角穴付きボルト，
をそれぞれ示している。
【００２３】
このように図示の電子機器用タッチペンは、センサ協働部１，前軸作用部２，後軸作用部３およびクリップ機構部４からなっている。
【００２４】
その基本的特徴は、
(21)前軸作用部２および後軸作用部３を前後方向に相対的に移動させる、例えば前軸筒２ａの中に前側部分が収容された後軸筒３ａを後方に引き出し、その後で当該後軸筒を再び当該前軸筒に収容するなどして、電子機器用タッチペンの全長の選択的な伸縮状態を簡単に設定できること、
(22)尾冠継手４ｂと尾冠４ｃとの螺合作用で後軸筒３ａに取り付けられているクリップ４ａを、当該螺合作用の解除によって当該後軸筒から簡単に取り外せること、
(23)電子機器用タッチペンの伸縮作動回数を重ねても、前軸筒２ａの内周面とスライダー３ｂの大径外周面部３ｄとの間には、所定摩擦力が、コイルスプリング３ｈ，Ｃ形リングバネ３ｊおよびＶ字状バネ３ｋなどの各弾性部材の外方への付勢作用により確保されるので、利用者の伸縮操作以外におけるスライダー３ｂの前後方向への自由移動を阻止できること、
(24)コイルスプリング３ｈ，Ｃ形リングバネ３ｊおよびＶ字状バネ３ｋなどの各弾性部材を取り付ける方のスライダー開口側に切欠状部を形成し、当該弾性部材の作用によるスライダー３ｂの外側方向への変位を生じやすくしている、すなわち上記(23)の所定摩擦力の発生をより確実なものにしていること、
などである。
【００２５】
図示の電子機器用タッチペンの組立て手順は例えば、
(31)筒状軸継手２ｂの高外周面２ｅにその前方から、リアリング２ｊを当該筒状軸継手の後端段部２ｇまで圧入する、
(32)筒状軸継手２ｂの低外周面２ｄにその前方から、グリップ２ｈが装着された前軸筒２ａを当該筒状軸継手の中間段部２ｆまで圧入する、
(33)筒状軸継手２ｂを固定した前軸筒２ａにその前方から、（コイルスプリング３ｈ，Ｃ形リングバネ３ｊ，Ｖ字状バネ３ｋ付きの）スライダー３ｂおよび尾冠継手４ｂが取り付けられた後軸筒３ａをその後方部分より入れて、前軸筒２ａおよび後軸筒３ａを一体化する、
(34)前軸筒２ａと一体化した後軸筒３ａの尾冠継手４ｂと、尾冠４ｃとの間に挟んだ状態のクリップ４ａを、六角穴付きボルト４ｄおよび当該尾冠継手の螺合作用により固定し、
(35)後軸筒３ａと一体化した前軸筒２ａにその前方から、フロントリング１ｄ，ペンニブ１ａおよびテーパ筒状部１ｅがそれぞれ取り付けられたテーパ軸継手１ｂの後方部分を圧入して、ペンニブ１ａなどのセンサ協働部１を前軸作用部２に固定する、
(36)前軸筒２ａに取り付けられたテーパ軸継手１ｂ（テーパ筒状部１ｅ）にキャップ１ｆを被せる、
といった作業となる。
【００２６】
なお、上記(34)，(35)のクリップ４ａの固定作業およびテーパ軸継手１ｂの圧入作業それぞれの後先は任意である。
【００２７】
上記(35)においてテーパ軸継手１ｂは、その後側外周面に圧入保持されたフロントリング１ｄの環状後端面が前軸筒２ａ，グリップ２ｈそれぞれの環状前端面に当接する、位置まで入り込む。
【００２８】
図１，図２は電子機器用タッチペンの最短縮状態を示している。
このときスライダー３ｂの環状前端面３ｃがテーパ軸継手１ｂの環状後端面１ｃに当接しているので、この当接状態からさらに後軸筒３ａが前方向へ移動したり、前軸筒２ａが後方向へ移動したりすることはない。
【００２９】
図３，図４は電子機器用タッチペンの最伸長状態を示している。
このときスライダー３ｂの環状段部３ｆが筒状軸継手２ｂの環状前端面２ｃに当接しているので、この当接状態からさらに後軸筒３ａが後方向へ移動したり、前軸筒２ａが前方向へ移動したりすることはない。すなわち後軸筒３ａが前軸筒２ａから抜けるようなことはない。
【００３０】
利用者の伸縮操作により、スライダー３ｂおよびこれに固定された後軸筒３ａと、筒状軸継手２ｂおよびこれに固定された前軸筒２ａとが、電子機器用タッチペンの最短縮状態から最伸長状態までを、当該前軸筒の内周面と当該スライダーの外周面（大径外周面部３ｄ）との間のいわば静止摩擦力に抗しながら相対的に移動する。
【００３１】
なお、この静止摩擦力の作用により、電子機器用タッチペンの正立，倒立状態などにおいても、スライダー３ｂおよび後軸筒３ａが前軸筒２に対して前後方向に自由移動することはない。
【００３２】
尾冠継手４ｂと尾冠４ｃとに挟持された状態のクリップ４ａを後軸筒３ａから取り外すには、六角穴付きボルト４ｄを工具で回動して当該ボルトと尾冠継手４ｂとの螺合状態を解除すればよい（図５参照）。
【００３３】
また、クリップ４ａを後軸筒３ａからいったん取り外した後、六角穴付きボルト４ｄで尾冠４ｃを尾冠継手４ｂに取り付けることも勿論可能である（図６参照）。
【００３４】
スライダー３ｂは、自らの弾性によってその大径外周面部３ｄが前軸筒２ａの内周面に付勢される。
【００３５】
図７（ｂ）〜（ｄ）の各スライダーは、上述の「へたり」現象でこの付勢作用が低下するのを防止する機能を有し、それぞれコイルスプリング３ｈ，Ｃ形リングバネ３ｊ，Ｖ字状バネ３ｋを大径外周面部３ｄに対応する内部に設けることにより、前軸筒内周面への十分な付勢作用を確保している。
【００３６】
本考案が以上の実施形態に限定されないことは勿論であり例えば、
(41)センサ協働部１として、静電容量方式以外の電磁誘導方式や感圧方式などの各種タイプのタッチパネル（位置検出センサ）に作用するものを用いる、
(42)前軸筒２ａにスライダーを取り付けて後軸筒３ａに筒状軸継手を取り付ける（例えば図示の前軸作用部２および後軸作用部３をそれぞれ、後軸筒３ａと前軸筒２ａとの寸法あわせの下で入れ替える）、
(43)後軸筒３ａの内側に前軸筒２ａを配設する、
(44)センサ協働部１，前軸作用部２，後軸作用部３およびクリップ機構部４それぞれにおける各構成要素として、上記以外の各種の金属製，合成樹脂製のものを用いる、
などのようにしてもよい。
【符号の説明】
【００３７】
１：センサ協働部，
１ａ：ペンニブ
１ｂ：テーパ軸継手
１ｃ：環状後端面
１ｄ：フロントリング
１ｅ：テーパ筒状部
１ｆ：キャップ
【００３８】
２：前軸作用部
２ａ：前軸筒
２ｂ：筒状軸継手
２ｃ：環状前端面
２ｄ：低外周面
２ｅ：高外周面
２ｆ：中間段部
２ｇ：後端段部
２ｈ：グリップ
２ｊ：リアリング
【００３９】
３：後軸作用部
３ａ：後軸筒
３ｂ：スライダー
３ｃ：環状前端面
３ｄ：大径外周面部
３ｅ：小径外周面部
３ｆ：環状段部
３ｇ：切欠状部
３ｈ：コイルスプリング
３ｊ：Ｃ形リングバネ
３ｋ：Ｖ字状バネ
３ｍ：一対の凸状部
３ｎ：環凹状部
３ｐ：一対の凹状部
【００４０】
４：クリップ機構部
４ａ：クリップ
４ｂ：尾冠継手
４ｃ：尾冠
４ｄ：六角穴付きボルト
【図１】
0003177874.tif 000003
【図２】
0003177874.tif 000004
【図３】
0003177874.tif 000005
【図４】
0003177874.tif 000006
【図５】
0003177874.tif 000007
【図６】
0003177874.tif 000008
【図７】
0003177874.tif 000009